(57)【要約】【課題】設置空間内に遠くまで届く撹拌流を形成する。【解決手段】次の（Ａ）〜（Ｇ）を備えた住宅用空気撹拌機２０。（Ａ）天板２１を備えていること。（Ｂ）底板２２を備えていること。（Ｃ）前記天板２１に取り付けられているシロッコファン２５を備えていること。（Ｄ）前記天板２１を家屋の所望の位置に取り付けるための取付金具２４を備えていること。（Ｅ）前記シロッコファン２５の周囲を取り巻く様に覆う金網ガード部材２３を備えていること。（Ｆ）前記金網ガード部材２３の内側に、該金網ガード部材２３に沿って所定数配置され、前記天板２１と底板２２との間にネジ止め固定される翼型支柱２６を備えていること。（Ｇ）前記翼型支柱２６は、翼形状の前縁で前記シロッコファン２５から吹き出される風を切る様に、前記金網ガード部材２３の内側に、前記シロッコファン２５を取り巻く様に取り付けられていること。【選択図】　図１
0003098077.tif 000002
【実用新案登録請求の範囲】
【請求項１】
以下の構成からなる住宅用空気撹拌機。
（Ａ）　天板を備えていること。
（Ｂ）　底板を備えていること。
（Ｃ）　前記天板に取り付けられているシロッコファンを備えていること。
（Ｄ）　前記天板を家屋の所望の位置に取り付けるための取付金具を備えていること。
（Ｅ）　前記シロッコファンの周囲を取り巻く様に覆う金網ガード部材を備えていること。
（Ｆ）　前記金網ガード部材の内側に、該金網ガード部材に沿って所定数配置され、前記天板と底板との間にネジ止め固定される翼型支柱を備えていること。
（Ｇ）　前記翼型支柱は、翼形状の前縁で前記シロッコファンから吹き出される風を切る様に、前記金網ガード部材の内側に、前記シロッコファンを取り巻く様に取り付けられていること。
【考案の詳細な説明】
【０００１】
【考案の属する技術分野】
本考案は、住宅内の空気を撹拌する機器に係り、特に、床下や天井裏の換気システムにおいて用いるのに適する住宅用攪拌機に関する。
【０００２】
【従来の技術】
従来、図７，図８に示す様な、床下或いは天井裏の基礎の外枠部分１の内側の適切な設置位置１３に、または床下と天井裏の基礎の外枠部分１の内側の適切な設置位置１３に送風装置１０を配設し、送風装置１０から送り出される風の流路を、送風ガイド９と、その送風ガイド９を支持するガイド支持部材８とにより、前記送風装置１０の周囲に数方向に形成し、この数方向に形成された流路の吹出口７から水平方向に放出される空気を、該流路を形成する送風ガイド９とガイド支持部材８とにより、床下或いは天井裏の基礎の外枠部分１の隅の部分にまでも送風し得るようにしたことを特徴とする床下と天井裏の換気装置が知られている（実開平６−１４８４３号）。
【０００３】
【考案が解決しようとする課題】
ところが、上記従来の「床下と天井裏の換気装置」は、シロッコファン１０から吹き出した風をガイド支持部材８及び送風ガイド９に衝突させ、ガイド支持部材８及び送風ガイド９によって形成された流路４を介して吹出口７に導く様に構成されているため、シロッコファン１０から吹き出した風は、無理矢理に方向を変更されることとなり、圧力損失が大きく、吹出口７から吹き出す風の到達距離が短くなり、床下全体を十分に撹拌するには、多数の同種装置を設置しなければならないという問題がある。
【０００４】
そこで、本考案は、圧力損失が小さく、風の到達距離を長くすることで、空気の撹拌効率を向上させることを目的とする。
【０００５】
【課題を解決するための手段】
かかる目的を達成するためになされた本考案の住宅用空気撹拌機は、課題解決手段として、以下の構成を有する。
（Ａ）　天板を備えていること。
（Ｂ）　底板を備えていること。
（Ｃ）　前記天板に取り付けられているシロッコファンを備えていること。
（Ｄ）　前記天板を家屋の所望の位置に取り付けるための取付金具を備えていること。
（Ｅ）　前記シロッコファンの周囲を取り巻く様に覆う金網ガード部材を備えていること。
（Ｆ）　前記金網ガード部材の内側に、該金網ガード部材に沿って所定数配置され、前記天板と底板との間にネジ止め固定される翼型支柱を備えていること。
（Ｇ）　前記翼型支柱は、翼形状の前縁で前記シロッコファンから吹き出される風を切る様に、前記金網ガード部材の内側に、前記シロッコファンを取り巻く様に取り付けられていること。
【０００６】
本考案の住宅用空気撹拌機は、取付金具を介して家屋の所望の位置、例えば、床下に用いる場合は、床下の根太等の下面に固定される。そして、マニュアル操作、タイマー制御、コンピュータ制御等の方法により、シロッコファンを回転させて送風を行う。シロッコファンから吹き出した風は、シロッコファンから吹き出される風を切る様に取り付けられた翼型支柱によって切られる様にして分離され、金網ガード部材の網目から外へ吹き出す。
ここで、翼型支柱は、その翼形状の前縁がシロッコファンから吹き出される風を切る様に、金網ガード部材の内側に沿ってシロッコファンを取り巻く様に取り付けられているので、シロッコファンから吹き出した空気は、わずかに方向を変更されるだけとなり、圧力損失が少ない。しかも、航空力学的な現象により、翼型支柱の外面側と内面側とで圧力差が生じるので、シロッコファンから吹き出された空気は、吹き出そうとする力と吸い出そうとする力とによって、勢いよく装置外へ排出されることになる。
【０００７】
【考案の実施の形態】
次に、本考案の実施の形態を図面に基づいて説明する。実施の形態の住宅用空気撹拌機２０は、図１〜図３に示す様に、円形の天板２１と、同じく円形の底板２２と、金網を円筒状にしたガード部材（以下、「金網ガード部材」という。）２３とを備えている。
【０００８】
天板２１には、図１，図３に示す様に、床下の根太に固定するための取付金具２４が取り付けられている。また、図４に示す様に、天板２１の中心には、シロッコファン２５が回転可能に取り付けられている。さらに、天板２１の縁部には、６個の翼型支柱２６が、シロッコファン２５を取り巻く様に、等間隔で固定される。底板２２には、図２に示す様に、同心円となる円弧状スリット２２ａが形成されている。また、天板２１及び底板２２には縁２１ａ，２２ｂがあり、金網ガード部材２３が、これら縁２１ａ，２２ｂの内側に嵌り込む様に構成されている。
【０００９】
ここで、翼型支柱２６について説明する。翼型支柱２６は、図５，図６に示す様に、航空機の翼と同様の断面形状を有し、その高さは、金網ガード部材２３と同じになっている。翼型支柱２６には、位置決め孔２６ａとネジ孔２６ｂとが形成されている。天板２１及び底板２２には、この位置決め孔２６ａに嵌る爪とネジ挿通孔（いずれも図示略）が設けられている。
【００１０】
組立は、以下の様な手順で行われる。
（１）６個の翼型支柱２６を治具にセットする。
（２）底板２２を翼型支柱２６へ嵌める。
（３）ネジ止めを行う。・・・この工程までで翼型支柱２６が底板２２に固定される。
（４）裏返す。
（５）金網ガード部材２３を被せる。
（６）前もって組んでおいた、天板２１とモーターのセット品（アッセンブリー品）を、翼型支柱２６の位置決め孔２６ａに合わせ、セットする。
（７）ねじ止めを行う。
こうして、実施の形態の住宅用空気撹拌機２０が組み立てられる。
【００１１】
この実施の形態の住宅用空気撹拌機２０によれば、翼型支柱２６の作用により、シロッコファン２５から吹き出された風は、さらに、内外の圧力差による吸い出し作用も相俟って、遠くまで吹き出す。また、このとき、６個の翼型支柱２６があることで、渦巻き状に風が吹き出す。なお、底板２２のスリット２２ａは、吸気用に開けられたものである。この結果、撹拌機２０が設置された床下空間の空気は効率よく撹拌され、浴室下等に湿気が淀んでしまうのを防止することができる。
【００１２】
以上、本考案の一実施の形態について詳細に説明してきたが、本考案はこれに限られるものではない。
【００１３】
【考案の効果】
本考案の住宅用空気撹拌機によれば、風が螺旋状に吹き出すので、設置空間内に撹拌流を形成することができる。また、装置内での圧力損失が少なく、しかも翼型支柱の航空力学的作用が働くので、遠くまで撹拌流が届く。従って、少ない設置台数で、床下空間や屋根裏空間の空気をしっかりと撹拌することができる。
【図面の簡単な説明】
【図１】実施の形態の住宅用空気撹拌機を斜め上方から見た斜視図である。
【図２】実施の形態の住宅用空気撹拌機を斜め下方から見た斜視図である。
【図３】実施の形態の住宅用空気撹拌機の正面図である。
【図４】実施の形態の住宅用空気撹拌機の底板及び金網ガード部材を外した状態の斜視図である。
【図５】実施の形態の住宅用空気撹拌機に用いられる翼型支柱の斜視図である。
【図６】実施の形態の住宅用空気撹拌機に用いられる翼型支柱の平面図である。
【図７】従来技術における換気装置の設置位置を示す水平方向断面図である。
【図８】従来技術における換気装置の水平方向断面図である。
【符号の説明】
２０・・・住宅用空気撹拌機、
２１・・・天板、
２２・・・底板、
２３・・・金網ガード部材、
２４・・・取付金具、
２５・・・シロッコファン、
２６・・・翼型支柱。
【図１】
0003098077.tif 000003
【図２】
0003098077.tif 000004
【図３】
0003098077.tif 000005
【図４】
0003098077.tif 000006
【図５】
0003098077.tif 000007
【図６】
0003098077.tif 000008
【図７】
0003098077.tif 000009
【図８】
0003098077.tif 000010